(57)【要約】【課題】  互いに異なる２つの形状に変形可能なクッションを提供する。【解決手段】  互いに開口を塞ぐように繋ぎ合わされた２つの袋体（一例として、ネックピロー１の形状に形成された袋体と、四角形のクッション２の形状に形成された袋体）と、繋ぎ合わされた２つの袋体内に詰められた細粒物と、を備え、細粒物の総体積は、２つの袋体のいずれの袋体の容積よりも小さく、さらには、２つの袋体のうちの一方の袋体内へ細粒物と共に他方の袋体を収納して開口を閉じることができるように、繋ぎ合わされた２つの袋体の繋ぎ目に沿ってリバーシブルオープンファスナ３が取り付けられてなる変形可能なクッションを構成する。【選択図】  図１
0003197184.tif 000002
【実用新案登録請求の範囲】
【請求項１】
互いに開口を塞ぐように該開口が繋ぎ合わされた２つの袋体と、
上記繋ぎ合わされた２つの袋体内に詰められた複数の細粒物と、
を備え、
上記細粒物の総体積は、上記２つの袋体のいずれの袋体の容積よりも小さく、さらには、
上記２つの袋体のうちの一方の袋体内へ上記細粒物と共に他方の袋体を収納して開口を閉じることができるように、上記繋ぎ合わされた２つの袋体の繋ぎ目に沿ってリバーシブルオープンファスナが設けられていることを特徴とする、変形可能なクッション。
【請求項２】
上記複数の細粒物が複数のビーズからなることを特徴とする、請求項１に記載の変形可能なクッション。
【請求項３】
上記２つの袋体のうちの少なくとも一方の袋体がネックピローの形状に形成されていることを特徴とする、請求項１または請求項２に記載の変形可能なクッション。
【考案の詳細な説明】
【技術分野】
【０００１】
本考案は、詰め物として細粒物が詰められたクッションに関し、詳しくは、２つの互いに異なる形態に変形することができる変形可能なクッションに関する。
【背景技術】
【０００２】
従来、家庭やオフィスで使用されるクッションとしては、椅子やソファーに座る際に使われる背当てがあり、また畳や床に座る際に使われる座当て（座布団）がある。昨今は、飛行機を利用して長時間移動する機会も多くなり、そのような長時間の移動の際に身体にかかる負担を軽減するために背当てやネックピロー（首枕、首当て）や腰当てクッションが使われている。
【０００３】
これらの従来品の背当て、座当て、ネックピローおよび腰当てクッションは、別々の形状に作られている。例えば、背当てや座当てであれば四角形の形状若しくは円形の形状に形作られ、ネックピローであれば首当て面が馬蹄形の形状に形作られ、腰当てクッションであれば矩形若しくは楕円形の形状に形作られている。
【０００４】
専ら１つの用途のためにつくられた従来のクッションは汎用性に乏しく、例えば、四角形若しくは円形の形状のクッションとしての用途と、首の横振れを抑制できるネックピローとしての用途との両方の用途に使用することができなかった。
【先行技術文献】
【特許文献】
【０００５】
【特許文献１】特開２０１４−１２４４４６号公報
【特許文献２】実用新案登録第３１８７３６６号公報
【考案の概要】
【考案が解決しようとする課題】
【０００６】
２つの互いに異なる形状（例えば、ネックピローの形状と四角いクッションの形状）に変形させることができるクッションを提供することを目的とする。
【課題を解決するための手段】
【０００７】
本考案の変形可能なクッションは、互いに開口を塞ぐように開口が繋ぎ合わされた２つの袋体と、繋ぎ合わされた２つの袋体内に詰められた複数の細粒物と、を備え、細粒物の総体積は、２つの袋体のいずれの袋体の容積よりも小さく、さらには、２つの袋体のうちの一方の袋体内へ細粒物と共に他方の袋体を収納して開口を閉じることができるように、繋ぎ合わされた２つの袋体の繋ぎ目に沿ってリバーシブルオープンファスナ（特許文献２参照）が設けられていることを特徴とする。
【０００８】
一実施例においては、詰め物として袋体内に詰められている複数の細粒物は、複数のビーズからなることを特徴とする。
【０００９】
一実施例においては、２つの袋体のうちの少なくとも一方の袋体がネックピローの形状に形成されていることを特徴とする。
【００１０】
他の実施例においては、本考案の変形可能なクッションは、耳栓またはイヤホンを収納しているパケット（収納ポケット）を具備している場合がある。
【００１１】
さらに他の実施例においては、本考案の変形可能なクッションにアイマスクまたはサングラスが取り付けられており、使用者は、該変形可能なクッションからアイマスクまたはサングラスを取り外して着用することができる。
【考案の効果】
【００１２】
本考案の変形可能なクッションは、２つの互いに異なる形状のうちのいずれかの形状に変形することにより、２種類の用途に使用することができる。一例においては、一方の袋体がネックピロー形の形状に形成され、他方の袋体が四角形の形状に形成され、これら２つの袋体の開口どうしが繋ぎ合わされていて、袋体内に流動可能な細粒物が詰められている。この例においては、四角形の袋体内に詰められていた細粒物をネックピロー形の袋体内へ移動させてから四角形の袋体もネックピロー形の袋体内に収納すると、ネックピローとして使用することができる。また、ネックピロー形の袋体内に詰められていた細粒物を四角形の袋体内へ移動させてからネックピロー形の袋体も四角形の袋体内に収納すると、椅子やソファーに座るときの背当て（背もたれクッション）として使用することができる。
【００１３】
上記の例の変形可能なクッションは、用途に応じて、首を支えるネックピローと、背当てとのいずれかに変形させて使用することができるという利点がある。
【図面の簡単な説明】
【００１４】
【図１】本考案の変形可能なクッションの一例を示す平面図。
【図２】変形可能なクッションのバリエーションの一例を示す平面図。
【図３】変形可能なクッションのバリエーションの一例を示す平面図。
【図４】変形可能なクッションに用いられるファスナの一例を拡大して示す図。
【図５】一実施例におけるネックピローを示す図。
【図６】一実施例におけるクッションを示す図。
【図７】一実施例におけるクッションを示す図。
【図８】一実施例におけるうつ伏せ用ピローを示す図。
【図９】付属品が取り付けられた変形可能なクッションを示す平面図。
【図１０】付属品が取り付けられた変形可能なクッションを示す平面図。
【考案を実施するための形態】
【００１５】
添付の図面を参照しつつ、本考案の変形可能なクッションについて説明する。
【００１６】
図１は、変形可能なクッションの一例を示す平面図である。図１に示される一実施例においては、一方の袋体がネックピロー１の形状に形成され、他方の袋体が四角形のクッション２の形状に形成され、これら２つの袋体の開口どうしが繋ぎ合わされている。加えて、繋ぎ合わされた袋体内に、一方の袋体から他方の袋体内へ流動し得る多数の細粒物が詰められている。さらには、繋ぎ合わされた２つの袋体の繋ぎ目に沿って、リバーシブルオープンファスナ３が設けられている。
【００１７】
袋体内で流動性を有しかつ緩衝材として機能し得る詰め物の例としては、発泡ポリスチレンからなるビーズ、ソフトパイプ、そば殻、および籾殻などがあるが、これらに限定されない。発砲ポリスチレン以外の素材からなるビーズが詰め物として用いられる場合もある。
【００１８】
図２に示される一実施例においては、一方の袋体がネックピロー１の形状に形成され、他方の袋体が円形のクッション４の形状に形成されており、これら２つの袋体の繋ぎ目に沿って、リバーシブルオープンファスナ３が設けられている。
【００１９】
図３に示される一実施例においては、一方の袋体がネックピロー１の形状に形成され、他方の袋体が円筒形の形状に形成されており、これら２つの袋体の繋ぎ目に沿ってリバーシブルオープンファスナ３が設けられている。円筒形の形状の袋体には左右両側の端面５ａを貫くように貫通孔５ｂが形成されており（図８参照）、使用者は、貫通孔５ｂ内に手や腕を差し入れることで、うつ伏せ用ピロー５として使用することができる。なお、円筒形の形状の代わりに、角筒形（角柱の筒形）に形成されている場合もあり、その場合には、角部に丸みがあるとよい。
【００２０】
図４（ａ）は、リバーシブルオープンファスナ３の一部を拡大して示している。リバーシブルオープンファスナ３は、テープ３ａに取り付けられたエレメント３ｂと、エレメント３ｂに沿って移動するスライダ３ｃと、引手３ｄとから構成され、表側と裏側のいずれの側からも引手３ｄを掴んでスライダ３ｃを滑らせることで、エレメント３ｂの噛合や噛合解除を行うことができるファスナである。
【００２１】
図４（ｂ）は、リバーシブルオープンファスナ３のエレメント３ｂの側面の断面図であり、リバーシブルオープンファスナ３が、該ファスナ３のスライダ３ｃの表側と裏側のそれぞれに引手３ｄを備えていることを示している。２つの袋体のうちの一方の袋体内へ細粒物と共に他方の袋体を収納して変形させる際には、先にファスナ３の開口を通して一方の袋体内へ細粒物を移動させてから、続いて他方の袋体も収納すればよい。この際、リバーシブルオープンファスナ３の表側と裏側とが反転するが、リバーシブルオープンファスナ３は、エレメント３ｂのいずれの面が表側のときにもスライダ３ｃを滑らせて開閉操作することができる。
【００２２】
図５〜図７は、変形可能なクッションを構成する２つの袋体のうちの一方の袋体内に、他方の袋体が細粒物と共に収容されているときの形態を示している。なお、図５〜図７において、（ａ）図は平面図であり、（ｂ）図は側面図である。
【００２３】
図５は、ネックピロー１内に四角形の形状のクッション２（図１参照）が収容されている状態を示している。
【００２４】
図６は、四角形の形状のクッション２内にネックピロー１（図１参照）が収容されている状態を示している。
【００２５】
図７は、円形の形状のクッション４内にネックピロー１（図２参照）が収容されている状態を示している。
【００２６】
図８は、円筒形の形状のクッション（うつ伏せ用ピロー５）内にネックピロー（図３参照）が収容されている状態を示している。図８（ａ）に示される一実施例においては、円筒形の形状のクッション５の左右両側の端面５ａを貫くように貫通孔５ｂが形成されており、この貫通孔５ｂ内へ手や腕を差し入れてうつ伏せ用ピロー５として使用することができる。図８（ｂ）においては、貫通孔５ｂが閉じた状態になっている。図８（ｃ）は、円筒形の形状のクッション５がうつ伏せ用ピローとして使用されているときの貫通孔５ｂの状態を示し、貫通孔５ｂに使用者の手や腕が通されて拡開された状態になっている。貫通孔５ｂの周壁材としては、伸縮性の高いポリエステルやポリウレタンなどの素材を用いるとよい。
【００２７】
図９および図１０は、本考案の変形可能なクッションが付属品を備えていることを示す平面図である。
【００２８】
図９に示される一実施例においては、ネックピロー１に設けられているフック６に、付属品としてパケット（収納ポケット）７が係着されている。このパケット７内に耳栓が納められている場合、ネックピロー１の使用者は、安眠したいときなどにパケット７から耳栓を取り出して着用するとよい。或いは、パケット７内にイヤホンが納められている場合、ネックピロー１の使用者は、寝ながら音楽を聴きたいときにパケット７からイヤホンを取り出して着用することができる。
【００２９】
図１０に示される一実施例においては、ネックピロー１に設けられているフック６に、付属品としてアイマスク８が係着されている。この実施例においては、ネックピロー１の使用者は、フック６からアイマスク８を取り外して着用することにより安眠することができる。
【符号の説明】
【００３０】
１…ネックピロー
２…四角形の形状のクッション
３…リバーシブルオープンファスナ
３ａ…テープ
３ｂ…（リバーシブルオープンファスナ３の）エレメント
３ｃ…（リバーシブルオープンファスナ３の）スライダ
３ｄ…（リバーシブルオープンファスナ３の）引手
４…円形の形状のクッション
５…うつ伏せ用ピロー
５ａ…端面
５ｂ…貫通孔
６…フック
７…パケット（収納ポケット）
８…アイマスク
【図１】
0003197184.tif 000003
【図２】
0003197184.tif 000004
【図３】
0003197184.tif 000005
【図４】
0003197184.tif 000006
【図５】
0003197184.tif 000007
【図６】
0003197184.tif 000008
【図７】
0003197184.tif 000009
【図８】
0003197184.tif 000010
【図９】
0003197184.tif 000011
【図１０】
0003197184.tif 000012